(57)【特許請求の範囲】
【請求項１】
コンクリート構造物を覆って取り付けられる熱可塑性プラスチック防食シートの継目処理方法であって、隣接する一対の防食シート間の継目部分に沿って、当該継目部分を覆うようにして熱可塑性プラスチックからなる帯状で且つその両側部下面側に一対の通電発熱体が各々内蔵された後付けシートを延長配設し、この通電発熱体に通電して前記一対の防食シートと後付けシートとの各接触面を加熱した後、前記後付けシートの表面を押圧することにより、前記後付けシートを介して隣接する前記防食シートを接合一体化することを特徴とする熱可塑性プラスチック防食シートの継目処理方法。
【発明の詳細な説明】
【０００１】
【発明の属する技術分野】
本発明は、コンクリート構造物を覆って取り付けられる熱可塑性プラスチック防食シートの継目処理方法に関する。
【０００２】
【従来の技術】
例えば、工場廃液処理槽や下水処理場等、コンクリート腐食性成分を有する水を処理するコンクリート構造物の防食方法には、コンクリート表面に防食被覆材としてエポキシ樹脂等の樹脂材料を塗布する方法、樹脂材料で成型した防食シートを防食被覆材としてコンクリート躯体の表面に貼り付ける方法、あるいは、例えば防食シートの裏側に多数の突起を設けておき、この防食シートを型枠内面に取り付けてコンクリートを打設する際に、コンクリートの表面にこれらの突起をアンカーとして埋設させて、当該コンクリート表面に防食シートを固定する方法などがあり、これらによって形成された防食被覆層により、コンクリートと腐食性を有する水との接触を回避してコンクリートが腐食するのを防止している。
【０００３】
このような防食被覆層を形成してコンクリート構造物を覆う防食シートとしては、その優れた防食性や施工のし易すさ等から、高密度ポリエチレンシート等の熱可塑性プラスチック防食シートが注目されているが、このような防食シートによれば、一枚の防食シートでコンクリート構造物の表面を一度に覆うことが困難であるため、複数の防食シートを使用することになり、したがって隣接する防食シートを接合することにより連続一体化してコンクリート構造物の表面を覆う必要を生じることになる。
【０００４】
そして、隣接する防食シートを接合一体化するための、突き合わせ部すなわち継目部の処理方法としては、特に、接着剤が効かない高密度ポリエチレンシート等を防食シートとして用いる場合には、同材質の溶接棒を使用した溶接によって防食シートの突き合わせ部を一体化する、押し出し溶接機を使用したいわゆるプラスチック溶接が採用されていた。
【０００５】
【発明が解決しようとする課題】
かかる従来の押し出し溶接機を使用したプラスチック溶接は、熱風で防食シートを暖めながら、溶けた溶接棒を突き合わせ部分の隙間に充填しつつ押圧することにより接合してゆくものであるが、暖めムラによりピンホールが生じ易く、特に接合部の隙間が大きい場合には、繰り返し溶接作業を行う必要を生じて多くの手間を必要とすることになるという課題があった。
【０００６】
そこで、この発明は、このような従来の課題に着目してなされたもので、プラスチック溶接によることなく、隣接する防食シート間の突き合わせ部を容易かつ確実に接合一体化してゆくことのできる熱可塑性プラスチック防食シートの継目処理方法を提供することを目的とするものである。
【０００７】
【課題を解決するための手段】
本発明は、上記目的を達成するためになされたもので、その要旨は、コンクリート構造物を覆って取り付けられる熱可塑性プラスチック防食シートの継目処理方法であって、隣接する一対の防食シート間の継目部分に沿って、当該継目部分を覆うようにして熱可塑性プラスチックからなる帯状で且つその両側部下面側に一対の通電発熱体が各々内蔵された後付けシートを延長配設し、この通電発熱体に通電して前記一対の防食シートと後付けシートとの各接触面を加熱した後、前記後付けシートの表面を押圧することにより、前記後付けシートを介して隣接する前記防食シートを接合一体化することを特徴とする熱可塑性プラスチック防食シートの継目処理方法にある。
【００１１】
後付けシートの両側部下面側に、通電発熱体を各々内蔵しておけば、これに通電するだけで各接触面を容易に加熱することができ、押さえローラ等による前記後付けシートの表面の押圧作業を効率良く行って、隣接する防食シートを継目部分において容易に接合一体化してゆくことができる。
【００１２】
なお、上記記載における通電発熱体としては、例えば熱可塑性プラスチック材料からなる棒状乃至帯状の線形部材の内部に、電流が流れると発熱するニクロム線やステンレス線等の金属線を組み込んだものや、鉄粉を混入して誘導電流によってプラスチック材料を発熱溶融させるものなどを使用することができるが、具体的には、ステンレス鋼線をヘリカル状に内蔵した熱可塑性プラスチックの溶接棒である商品名 Powercore（Evanco Environmental Technologies Ltd.（カナダオンタリオ）製）を使用することができる。
【００１３】
また、熱可塑性プラスチック防食シートとしては、例えば高密度ポリエチレン、ポリプロピレン、塩化ビニール等からなる防食シートを対象とすることができる。
【００１４】
【発明の実施の形態】
以下、本発明の実施形態を、添付図面を参照しつつ詳細に説明する。この実施形態の防食シートの設置方法は、一例として、コンクリート構造物としての汚水処理槽の内面を覆って取り付けられる熱可塑性プラスチック防食シートとしての高密度ポリエチレン防食シートを、突き合わせ部すなわち継目部において接合一体化すべく採用されたものである。
【００１５】
すなわち、高密度ポリエチレン防食シートは、一枚のもので汚水処理槽の内面全域を覆うことが困難であるため、複数のシートを用いて防食被覆することになり、したがってこのような複数の防食被覆シートを接合一体化して、汚水処理槽の内面を水密に覆ってこれを防護するために、この発明の継目処理方法を採用したものである。
【００１６】
そして、この実施形態の継目処理方法は、図１に示すように、隣接する一対の高密度ポリエチレン防食シート１０間の継目部分１１に沿って、当該継目部分１１を覆うようにして、防食シート１０と同様の材質である高密度ポリエチレンからなる帯状の後付けシート１２を延長配設し、一対の高密度ポリエチレン防食シート１０と後付けシート１２との各接触面を加熱した後、後付けシート１２の表面を押圧することにより、後付けシート１２を介して隣接する防食シート１０を接合一体化するものである。
【００１７】
ここで、高密度ポリエチレン防食シート１０は、接着剤のきかない防食被覆シートであって、その一方の面に多数のアンカー突起１３を備え、予め型枠などに取り付けて配設されることにより、打設されたコンクリート１５の表面にアンカー突起１３を埋設させて、コンクリート１５の表面を覆って強固に固定されるとともに、型枠の脱型後には、隣接する防食シート１０の継目部分１１には隙間が生じることになる。
【００１８】
また、後付けシート１２は、上述のように防食シート１０と同様の材質であって、継目部分１１の隙間を覆うとともに、各防食シート１０との間で相当の接着幅が確保されるような幅を有するものである。
【００１９】
さらに、防食シート１０と後付けシート１２との接触面を加熱するには、図１に示すようにこれらの接触面の間に加熱した金属板１６を配置してこれをスライドさせたり、接触面の間の隙間に熱風を吹き込むことや、赤外線ランプを照射すること等によって容易に行うことができる。
【００２０】
そして、この実施形態によれば、防食シート１０及び後付けシート１２が何れも同質の熱可塑性プラスチックであることから、このようにして各接触面を加熱した後、押さえローラ１７を用いて後付けシート１２の表面を押圧すれば、防食シート１０及び後付けシート１２が接触面において強固に接着され、これによって、隣接する防食シート１０が後付けシート１２を介して容易に接合一体化することをになる。
【００２１】
図２は、この発明の他の実施形態を示すもので、この実施形態によれば、防食シート１０の継目部分１１を覆って後付けシート１２を延長配設する際に、後付けシート１２と防食シート１０との接触面の間に挟み込むようにして、高密度ポリエチレンを加工形成した、棒状の高密度ポリエチレンの内部に電熱線としてのメッシュ状のステンレス鋼線を含む通電発熱体１８を、接触面に沿って延長配設しておく。
【００２２】
図３は、この発明のさらに他の実施形態を示すもので、この実施形態によれば、後付けシート１２の両側部下面側には、各防食シート１０と接触する位置に、一対の通電発熱体１８を接触面に沿って延長するようにして各々内蔵しておく。
【００２３】
これらの実施形態によれば、通電発熱体１８に通電するだけで、これの高密度ポリエチレンが溶融するとともに、防食シート１０と後付けシート１２との接触面を加熱することができ、これによって押さえローラ１７による後付けシート１２の表面の押圧作業を効率良く行って、隣接する防食シート１０を継目部分１１においてさらに容易かつ確実に接合一体化してゆくことが可能になる。
【００２４】
なお、この発明は、上記各実施形態の実施の態様のものに限定されるものではなく、各請求項に記載された構成の範囲内において、種々に変更して採用することができる。例えば、この発明は、高密度ポリエチレン製の防食シートに限定されることなく、その他の種々の熱可塑性プラスチック防食シートの継目処理方法として採用することができる。
【００２５】
【発明の効果】
以上説明したように本発明の熱可塑性プラスチック防食シートの継目処理方法によれば、隣接する一対の防食シート間の継目部分に沿って、当該継目部分を覆うようにして熱可塑性プラスチックからなる帯状の後付けシートを延長配設し、一対の防食シートと後付けシートとの各接触面を加熱した後、後付けシートの表面を押圧することにより、後付けシートを介して隣接する前記防食シートを接合一体化するようにしたので、プラスチック溶接によることなく、隣接する防食シート間の突き合わせ部を容易かつ確実に接合一体化してゆくことができる。
【００２６】
また、前記一対の防食シートと後付けシートとの各接触面に、熱可塑性プラスチックを加工した通電発熱体を当該各接触面に沿って各々延長配設しておけば、後付けシートの表面の押圧作業を効率良く行って、隣接する防食シートを継目部分においてさらに容易かつ確実に接合一体化してゆくことができる。
【図面の簡単な説明】
【図１】本発明の一実施形態にかかる防食シートの継目処理方法を説明する断面図である。
【図２】本発明の他の実施形態にかかる防食シートの継目処理方法を説明する断面図である。
【図３】本発明のさらに他の実施形態にかかる防食シートの継目処理方法を説明する断面図である。
【符号の説明】
１０  高密度ポリエチレン防食シート（熱可塑性プラスチック防食シート）
１１  継目部分
１２  後付けシート
１３  アンカー突起
１５  コンクリート
１６  金属板
１７  押さえローラ
１８  通電発熱体
【図１】
0003887474.tif 000002
【図２】
0003887474.tif 000003
【図３】
0003887474.tif 000004